(57)【要約】【課題】本発明は、異なる場所での照明需要を満たすことができる発光ダイオードランプを提供する。【解決手段】本発明に係る発光ダイオードランプは、ランプ本体及び少なくとも一つの発光ダイオードモジュールを備える。ランプ本体には、ランプ本体の両側に、一対の挿入孔が設けられ、発光ダイオードモジュールの側面には、一対の挿入ピンが設けられ、組み立てる時、発光ダイオードモジュールの挿入ピンをランプ本体の両側に設けられた挿入孔にそれぞれ挿入させることにより、発光ダイオードモジュールとランプ本体とを電気的に接続し、分解する時、ランプ本体の両側に挿入されている発光ダイオードモジュールの挿入ピンをランプ本体の挿入孔から引き抜くことにより、発光ダイオードモジュールとランプ本体との接続を切断する。【選択図】図１
2014116309.tif 000002
【特許請求の範囲】
【請求項１】
ランプ本体及び少なくとも一つの発光ダイオードモジュールを備える発光ダイオードランプにおいて、
前記ランプ本体の両側には、一対の挿入孔が設けられ、前記発光ダイオードモジュールの側面には、一対の挿入ピンが設けられ、組み立てる時は、前記発光ダイオードモジュールの挿入ピンを前記ランプ本体の両側に設けられた挿入孔にそれぞれ挿入させることにより、前記発光ダイオードモジュールと前記ランプ本体とを電気的に接続し、分解する時は、前記ランプ本体の両側に挿入されている前記発光ダイオードモジュールの挿入ピンを前記ランプ本体の挿入孔から引き抜くことにより、前記発光ダイオードモジュールと前記ランプ本体との接続を切断することを特徴とする発光ダイオードランプ。
【請求項２】
前記発光ダイオードモジュールの数量は複数個であり、各発光ダイオードモジュールの挿入ピンに対向する側面には、一対の挿入孔が設けられ、組み立てる時は、各発光ダイオードモジュールの挿入ピンを隣接する発光ダイオードモジュールの挿入孔に挿入させることにより、複数の発光ダイオードモジュールは互いに接続され、分解する時は、各発光ダイオードモジュールの挿入ピンを隣接する発光ダイオードモジュールの挿入孔から引き抜くことにより、複数の発光ダイオードモジュールは互いに分解されることを特徴とする請求項１に記載の発光ダイオードランプ。
【発明の詳細な説明】
【技術分野】
【０００１】
本発明は、発光ダイオードランプに関し、特に異なる場所での照明需要を満たすことができる発光ダイオードランプに関するものである。
【背景技術】
【０００２】
発光ダイオード（ＬＥＤ）は、電流を特定の波長の光に転換できる半導体素子からできており、高輝度、低駆動電圧、低消費電力、長寿命等の多くの利点を有している。それ故に、ＬＥＤは、従来の蛍光灯或いは白熱灯に代わって、ランプの光源として、現在広く利用されている。
【０００３】
従来の発光ダイオードランプは、複数の発光ダイオードモジュールを備える。発光ダイオードランプが動作する時、複数の発光ダイオードモジュールによって生成された光は、発光ダイオードランプの外部に出射される。しかし、全ての発光ダイオードモジュールは、一般的には、発光ダイオードランプの中の対応する位置に強固に固定されるため、発光ダイオードランプの使用を多様化できず、異なる場所での照明需要を満たすことができない。
【発明の概要】
【発明が解決しようとする課題】
【０００４】
前記課題を解決するために、本発明は、異なる場所での照明需要を満たすことができる発光ダイオードランプを提供する。
【課題を解決するための手段】
【０００５】
本発明に係る発光ダイオードランプは、ランプ本体及び少なくとも一つの発光ダイオードモジュールを備える。前記ランプ本体には、前記ランプ本体の両側に、一対の挿入孔が設けられ、前記発光ダイオードモジュールの側面には、一対の挿入ピンが設けられ、組み立てる時、前記発光ダイオードモジュールの挿入ピンを前記ランプ本体の両側に設けられた挿入孔にそれぞれ挿入させることにより、前記発光ダイオードモジュールと前記ランプ本体とを電気的に接続し、分解する時、前記ランプ本体の両側に挿入されている前記発光ダイオードモジュールの挿入ピンを前記ランプ本体の挿入孔から引き抜くことにより、前記発光ダイオードモジュールと前記ランプ本体との接続を切断する。
【発明の効果】
【０００６】
従来の技術と比べて、本発明の発光ダイオードランプは、実際の照明需要に応じて異なる数量の発光ダイオードモジュールをランプ本体に組み立てる、又はランプ本体から取り外すことができる。これにより、発光ダイオードランプの使用を多様化でき、異なる場所での照明需要を満たすことができる。
【図面の簡単な説明】
【０００７】
【図１】本発明の実施形態に係る発光ダイオードランプの断面図である。
【図２】図１に示した発光ダイオードランプの回路図である。
【発明を実施するための形態】
【０００８】
以下、図面を参照して、本発明の実施形態について説明する。
【０００９】
図１を参照すると、本発明の実施形態に係る発光ダイオードランプは、室内照明に使用され、位置決めポスト１０と、該位置決めポスト１０に接続されたランプ本体２０と、ランプ本体２０に接続される複数の発光ダイオードモジュール３０と、を備える。
【００１０】
位置決めポスト１０は、円柱状の金属棒である。位置決めポスト１０の下端は、ランプ本体２０に固定されている。位置決めポスト１０の上端は、天井（図示せず）の所望の位置に固定される。
【００１１】
ランプ本体２０は、電圧変換モジュール２２及び該電圧変換モジュール２２の底部に取り付けられた複数の発光ダイオード２４を備える。電圧変換モジュール２２は、交流電流を、発光ダイオード２４及び発光ダイオードモジュール３０に供給するための直流電流に変換するために用いられる。電圧変換モジュール２２の２つの相対する側面（左側と右側）には、一対の挿入孔２２０がそれぞれ設けられている。また、複数の発光ダイオード２４は、実際の需要に応じて同じ色、又は異なる色の光を発しても良い。
【００１２】
各発光ダイオードモジュール３０は、直方体を呈する本体３１と、該本体３１の底部に装着された複数の発光ダイオード３２と、該本体３１の側面（左側）からランプ本体２０に向けて水平に延伸する一対の挿入ピン３６と、を備える。本体３１の他の側面（右側）には、隣接する発光ダイオードモジュール３０の挿入ピン３６を挿入するための一対の挿入孔３４が設けられている。各発光ダイオードモジュール３０の発光ダイオード３２は、実際の需要に応じて同じ色、又は異なる色の光を発しても良い。
【００１３】
図２を参照すると、電圧変換モジュール２２は、整流ブリッジＵ１及び変換チップＵ２を備える。該変換チップＵ２の型は、ＤＳ８６４３である。整流ブリッジＵ１は、端から端まで接続されている４つのダイオードＤ１〜Ｄ４を備える。整流ブリッジＵ１の一対のポートは、交流電源に接続され、該整流ブリッジＵ１の他の一対のポートは、変換チップＵ２の端子Ｈ及び端子Ｅにそれぞれ接続される。コンデンサＣの両端は、整流ブリッジＵ１の他の一対のポートの間に接続される。変換チップＵ２の端子Ｄ及び端子Ｅは接地されている。抵抗Ｒ１、ダイオードＤ５及びインダクタンスＬは、変換チップＵ２の端子Ｈと端子Ａとの間に直列に接続されている。電界効果トランジスタＱのゲート電極Ｇは、変換チップＵ２の端子Ｃに接続され、電界効果トランジスタＱのドレイン電極Ｄは、ダイオードＤ５とインダクタンスＬとの間に接続され、電界効果トランジスタＱのソース電極Ｓは、抵抗Ｒ２を介して接地されている。複数の発光ダイオード２４は、電圧変換モジュール２２の２つの出力ポート間に直列に接続されている。各発光ダイオードモジュール３０の複数の発光ダイオード３２と複数の発光ダイオード２４とは、並列に接続されている。
【００１４】
発光ダイオードランプを組み立てる場合、先ず、２つの発光ダイオードモジュール３０の挿入ピン３６をランプ本体２０の両側の挿入孔２２０にそれぞれ挿入させる。これにより、該２つの発光ダイオードモジュール３０は、ランプ本体２０に電気的に接続される。次に、残りの各発光ダイオードモジュール３０の挿入ピン３６を隣接する発光ダイオードモジュール３０の挿入孔３４にそれぞれ挿入する。このようにして、複数の発光ダイオードモジュール３０を、ランプ本体２０に組み立てる。発光ダイオードランプを分解する場合、先ず、ランプ本体２０の両側に挿入されている発光ダイオードモジュール３０の挿入ピン３６を、ランプ本体２０の挿入孔２２０からそれぞれ引き抜いてランプ本体２０から取り外し、次いで、残りの各隣接する発光ダイオードモジュール３０の挿入ピン３６を隣接する発光ダイオードモジュール３０の挿入孔３４からそれぞれ引き抜くことによって互いに分解する。
【００１５】
本発明の発光ダイオードランプは、実際の照明需要に応じて異なる数量の発光ダイオードモジュール３０をランプ本体２０に組み立てる、又はランプ本体２０から取り外すことができる。これにより、発光ダイオードランプの使用を多様化でき、異なる場所での照明需要を満たすことができる。
【符号の説明】
【００１６】
１０  位置決めポスト
２０  ランプ本体
２２  電圧変換モジュール
２４、３２  発光ダイオード
２２０、３４  挿入孔
３０  発光ダイオードモジュール
３１  本体
３６  挿入ピン
Ｄ１〜Ｄ５  ダイオード
Ｒ１、Ｒ２  抵抗
Ｌ  インダクタンス
Ｑ  電界効果トランジスタ
Ｇ  ゲート電極
Ｄ  ドレイン電極
Ｓ  ソース電極
Ｃ  コンデンサ
Ｕ１  整流ブリッジ
Ｕ２  変換チップ
Ａ、Ｃ、Ｄ、Ｈ、Ｅ  端子
【図１】
2014116309.tif 000003
【図２】
2014116309.tif 000004